(57)【要約】【課題】  固定軸とロール紙支軸との枢支部分を筒部同士の嵌合枢支構造により強化することで、スマートでも頑強で、壁面凹所内とか壁面同士の片隅にも設置でき、片手でも使用できる棒材製のロール紙ホルダを得ること。【解決手段】  ロール紙空心の両側に支軸を差し込んでロール紙を回転可能に支持するロール紙ホルダを構成するに当たり、対をなす固定軸２の一端に設けた筒部３内と、対をなすロール紙支軸４の一端に起立形成した筒部５内とに捻じれ復元弾性体６を渡して挿入後、固定軸２と支軸４の上記各筒部同士を嵌合枢支し、支軸同士を互いに対向させた状態で、前記弾性体６の両端付近の各固定部６Ａを固定軸筒部３と支軸筒部５とに固定することで、支軸同士の前記対向状態を弾力的に維持可能にした。【選択図】図１
2010099168.tif 000002
【特許請求の範囲】
【請求項１】
ロール紙空心の両側に支軸を差し込んでロール紙を回転可能に支持するロール紙ホルダにおいて、対をなす固定軸の一端に設けた筒部内と、対をなすロール紙支軸の一端に起立形成した筒部内とに捻じれ復元弾性体を渡して挿入後、固定軸と支軸の筒部同士を嵌合枢支し、支軸同士を互いに対向させた状態で、前記弾性体両端付近の各固定部を固定軸筒部と支軸筒部とに固定することで、支軸同士の前記対向状態を弾力的に維持したことを特徴とするロール紙ホルダ。
【請求項２】
ロール紙空心の両側に支軸を差し込んでロール紙を回転可能に支持するロール紙ホルダにおいて、棒材の一端に筒部を形成した対をなす固定軸と、短寸棒材の一端に筒部を起立形成した対をなすロール紙支軸とを用意し、前記固定軸と支軸の各筒部内に捻じれ復元弾性体を渡して挿入後、固定軸と支軸の筒部同士を嵌合枢支し、支軸同士を互いに対向させた状態で、前記弾性体両端付近の各固定部を固定軸筒部と支軸筒部とに固定することで、支軸同士の対向状態を弾力的に維持したことを特徴とするロール紙ホルダ。
【請求項３】
固定軸筒部と支軸筒部とを嵌合枢支するに当たり、前記支軸筒部をその終縁段部まで固定軸筒部内に回動可能に嵌入させることで、前記固定軸筒部に対する支軸筒部の嵌合寸法を支軸筒部の終縁段部で規制可能にすると共に、各筒部の嵌合外周面同士をほぼ面一となしたことを特徴とする請求項１または請求項２に記載のロール紙ホルダ。
【請求項４】
固定軸筒部と支軸筒部とを嵌合枢支するに当たり、前記固定軸筒部をその終縁段部まで支軸筒部内に回動可能に嵌入させることで、前記固定軸筒部に対する支軸筒部の嵌合寸法を固定軸筒部の終縁段部で規制可能にすると共に、各筒部の嵌合外周面同士をほぼ面一となしたことを特徴とする請求項１または請求項２に記載のロール紙ホルダ。
【請求項５】
固定軸筒部と支軸筒部とを嵌合枢支するに当たり、係止孔を有する支軸筒部を固定軸筒部内に回動可能に嵌入し、前記係止孔内に固定軸の側面から係止部材を遊挿定位することで、前記嵌合状態にある各筒部相互の抜け止めを強化すると共に、固定軸に対する支軸の回動に伴い、前記係止孔の側縁を係止部材に当接させることで、支軸の回動角を制限可能にしたことを特徴とする請求項１から請求項４までのいずれか一つの請求項に記載のロール紙ホルダ。
【請求項６】
固定軸筒部と支軸筒部とを嵌合枢支するに当たり、係止孔を有する固定軸筒部を支軸筒部内に回動可能に嵌入し、前記係止孔内に支軸の側面から係止部材を遊挿定位することで、前記嵌合状態にある各筒部相互の抜け止めを強化すると共に、固定軸に対する支軸の回動に伴い、前記係止部材を係止孔の側縁に当接させることで、支軸の回動角を制限可能にしたことを特徴とする請求項１から請求項４までのいずれか一つの請求項に記載のロール紙ホルダ。
【請求項７】
支軸筒部の外周面が、固定軸筒部における円筒内周面の少なくとも三個所に内接する非円筒外周面であることを特徴とする請求項１または請求項２に記載のロール紙ホルダ。
【請求項８】
支軸筒部の内周面が、固定軸筒部における非円筒外周面の少なくとも三個所に外接する円筒内周面であることを特徴とする請求項１または請求項２に記載のロール紙ホルダ。
【請求項９】
固定軸筒部の外周面が、支軸筒部における円筒内周面の少なくとも三個所に内接する非円筒外周面であることを特徴とする請求項１または請求項２に記載のロール紙ホルダ。
【請求項１０】
固定軸筒部の内周面が、支軸筒部における非円筒外周面の少なくとも三個所に外接する円筒内周面であることを特徴とする請求項１または請求項２に記載のロール紙ホルダ。
【請求項１１】
前記支軸の一端に弯曲延在部を形成し、その上部に筒部を形成した支軸を用いた請求項１から請求項１０までのいずれか一つの請求項に記載のロール紙ホルダ。
【請求項１２】
前記捻じれ復元弾性体として、可撓復元性樹脂を柱状に成形した捻じれ復元弾性体を用いたことを特徴とする請求項１から請求項１１までのいずれか一つの請求項に記載のロール紙ホルダ。
【請求項１３】
前記捻じれ復元弾性体として、伸縮性が小さいコイルばねを用いたことを特徴とする請求項１から請求項１１までのいずれか一つの請求項に記載のロール紙ホルダ。
【発明の詳細な説明】
【技術分野】
【０００１】
本発明は、ロール紙とかロール巻きシートやフイルムの繰り出し用ホルダに係り、特に固定軸とロール紙支軸との枢支部分を筒部同士の嵌合枢支構造により強化することで、スマートでも頑強で、壁面凹所内とか壁面同士の片隅にも設置でき、片手でも使用できる棒材製のロール紙ホルダに関する。
【背景技術】
【０００２】
棒材で作ったハンガー状のロール紙ホルダとしては、従来、例えば下記の特許文献１のように、対向間隔を左右方向にスライド変化できる細長い左右一対のロール紙支持アームの対向支持部をロール紙の空心両側に差し込んで、ロール紙を回転可能に支持できる吊り戸棚取付け用のロール紙ホルダが周知である。
【特許文献１】特許第３６６３７１９号公報
【０００３】
上記従来例のほかに、下記の特許文献２・３のように、丸棒材で細長く作った左右一対の支持アームの各上部を固定基部に対してヒンジで左右方向に大きく回動できるように枢支し、これら各支持アームの対向間隔を広げてその対向支持部をロール紙の空心両側に差し込むと共に、各棒の対向間隔が自重で狭まることで、ロール紙を回転可能に支持できるハンガー状のロール紙ホルダも周知である。
【特許文献２】実開平６−６６４９３号公報
【特許文献３】実開平６−８１４３６号公報
【発明の開示】
【発明が解決しようとする課題】
【０００４】
前記特許文献１における左右一対のロール紙支持アームは、固定基部に対して各アーム上部をスライド可能に支持したもので、各アームを左右方向に引出し式に広げてロール紙支持部をロール紙の空心両側に差し込んだ後、このロール紙を片手で持ちながら、他方の手で上記支持部同士の対向間隔をスライド式に狭めることで、ロール紙を回転可能に支持するものだから、この支持作業は片手操作では実行できず、極めて不便であるという切実な問題点が有る。
【０００５】
また、上記従来例におけるロール紙ホルダの左右両脇または片側には、支持アームにロール紙の空心を差し込むための空所および支持アームから空の芯管を抜去する空所が必要のため、この空所がとれない狭い場所、例えば壁面凹所内などには、この特許文献１のロール紙ホルダは、設置できないという根源的な問題点も有る。
【０００６】
さらに、前記特許文献１における左右のロール紙支持アームは、前記のように細長く、しかもロール紙吊り下げ部分から遠く離れたアーム上部をスライド可能に片持ち支持しているから、メカ的に弱く、特に左右アームの対向間隔を広げてその支持部分を短くする程、テコの原理によりロール紙交換途中または使用中に無理な応力が上記支持部分に強く加わり、損傷する物も出てくるという根源的で切実な問題点が有る。
【０００７】
次に、前記特許文献２・３における左右の支持アームも細長く、上部を固定基部に回動可能に枢支したもので、左右の支持アームを一本ずつその自重に抗して片手で左右斜め上方向に広げつつ、ロール紙を他方の手指で持ちながら、各アーム下部の対向支持部を片方ずつ他方の手指でロール紙の空心に差し込んだ後、このロール紙と左右のアームの各自重により、上記支持部同士の対向間隔が狭ばまってロール紙を回転可能に支持できる。
【０００８】
ところが、このロール紙支持作業は、上記のように片手では実行できず誠に不便であるし、ロール紙ホルダの左右両脇または片側には、アーム下部の支持部をロール紙の空心に差し込むための空所および支持アームから空の芯管を抜去する空所が必要のため、この空所がとれない狭い場所、例えば壁面凹所内などには、この従来のロール紙ホルダも設置できないという根源的で切実な多くの問題点が有る。
【０００９】
また、前記特許文献２・３のロール紙ホルダは、ロール紙吊り下げ支持部から遠く離れた細長い各支持アームの上部をヒンジで回動可能に片持ち枢支したものだから、繰り出し途中のロール紙が上記ヒンジ部を支点としてブランコのように大きく揺れ動き易く、支持部がロール紙空心または芯管から抜け出てロール紙が落下する危険も有るという大きな問題点が有るし、ロール紙支持部から遠く離れた細長いアームの枢支部分には、テコの原理によりロール紙交換途中または使用中に無理な応力が加わり易く、上記枢支部が損傷して使い物にならなくなる物も出てくるという根源的で切実な問題点が有る。
【００１０】
さらに、上記各特許文献とは別に、丸棒材を単に曲げて作った従来のロール紙ホルダとしては、図２０のようにステンレス・スチール棒などの細長い丸棒材を横長コ字状に曲げてロール紙ホルダ本体１５となし、その上棒１６を取付け具１７によりトイレ壁面などに取付け固定すると共に、細長いホルダ下棒１８にロール紙７の空心７Ａまたは芯管７Ｂの全幅を通して回転可能に支持し、ホルダ先端の上向き突部１９によりロール紙５の抜け止めを施したロール紙ホルダも日本国内に出回ったこともあった。
【００１１】
この従来のロール紙ホルダは、可動部分が無いシンプルな感じのロール紙ホルダではあるが、ホルダ下棒１８にロール紙の空心７Ａまたは芯管７Ｂの全幅を通して吊り下げ支持するものだから、ホルダ下棒１８にロール紙７の空心７Ａまたは芯管７Ｂを差し込むためのロール紙セット空所および支持アームから空の芯管を抜去する空所として、ロール紙全幅と上向き突部１９の直径との和の寸法以上の空所が突部１９の右脇に必要のため、この空所がとれない狭い場所、例えば壁面凹所内とか側壁付近などには、この従来のロール紙ホルダは、設置できないという根源的で切実な多くの問題点が有る。
【００１２】
また、上記図２０のような従来のロール紙ホルダは、ホルダ下棒１８の先端に突設した抜け止め用の上向き突部１９を経てロール紙の空心７Ａまたは芯管７Ｂをホルダ下棒１８に通して使用するものだから、下棒１８の直径と上向き突部１９の高さ寸法との和の寸法以下の直径の空心７Ａまたは芯管７Ｂを有するロール紙は、上記下棒１８に通してセットできないので、使えないという本質的かつ、大きな問題点が有る。
【００１３】
この発明は、固定軸とロール紙支軸との枢支部分を筒部同士の嵌合枢支構造により強化することで、スマートでも頑強で、壁面凹所内とか壁面同士の片隅にも設置でき、片手でも使用できる棒材または管材（管材は中空の棒状物であるから、管材も棒材と見做す。）製のロール紙ホルダを得ることを目的とする。
【課題を解決するための手段】
【００１４】
上記した本発明の目的は、ロール紙空心の両側に支軸を差し込んでロール紙を回転可能に支持するロール紙ホルダを構成するに当たり、対をなす固定軸の一端に設けた筒部内と、対をなすロール紙支軸の一端に起立形成した筒部内とに捻じれ復元弾性体を渡して挿入後、固定軸と支軸の筒部同士を嵌合枢支し、支軸同士を互いに対向させた状態で、前記弾性体両端付近の各固定部を固定軸筒部と支軸筒部とに固定することで、支軸同士の前記対向状態を弾力的に維持したことで達成できた。
【００１５】
ただし、前記支軸筒部（または固定軸筒部）をその終縁段部まで固定軸筒部（または支軸筒部）内に回動可能に嵌入させることで、前記筒部同士の嵌合寸法を上記終縁段部で規制可能にすると共に、各筒部の嵌合外周面同士をほぼ面一となしてもよい。
【００１６】
また、係止孔を有する支軸筒部（または固定軸筒部）を固定軸筒部（または支軸筒部）内に回動可能に嵌入し、前記係止孔内に固定軸（または支軸）の側面から係止部材を遊挿定位することで、前記嵌合状態にある各筒部相互の抜け止めを強化すると共に、固定軸に対する支軸の回動に伴い、前記係止孔の側縁を係止部材に当接させることで、支軸の回動角を制限可能にしてもよい。
【００１７】
支軸筒部（または固定軸筒部）の外周面を固定軸筒部（または支軸筒部）における円筒内周面の少なくとも三個所に内接する非円筒外周面としたり、支軸筒部（または固定軸筒部）の内周面を固定軸筒部（または支軸筒部）における非円筒外周面の少なくとも三個所に外接する円筒内周面としてもよく、前記支軸の一端に弯曲延在部を形成し、その上部に筒部を形成した支軸を用いてもよいし、また前記捻じれ復元弾性体として、可撓復元性樹脂を柱状に成形した捻じれ復元弾性体や、伸縮性が小さいコイルばねを用いてもよい。
【発明の効果】
【００１８】
本発明によれば、前記固定軸とロール紙支軸との枢支部分を筒部同士の嵌合枢支構造により強化して無用な外力などの外乱に充分耐得る頑強な枢支部分となし得たので、固定軸とロール紙支軸とをそれぞれ細くスマートな棒材で作っても頑強で、無造作に使用しても故障せず、長期に亘り安定に使用できるという優れた効果が有る。
【００１９】
また、本発明のロール紙ホルダは、その前側から対をなす支軸に加えたロール紙差し込み外力または空の芯管抜去外力に伴う各支軸筒部の前後周方向の回動力により、前記捻じれ復元弾性体をその捻じれ復元弾力に抗し周方向に捻じってその復元弾力を蓄えた後、上記ロール紙差し込み完了時または空の芯管抜去完了時における上記各外力の解除に伴う弾性体の上記蓄え済みの捻じれ復元弾力で、上記対をなす支軸同士を弾力的に対向復帰させ得るので、左右一対の支軸に対するロール紙支持セット作業または空の芯管抜去の作業は、それぞれロール紙または芯管を上記各支軸に対して進退させるだけで実行でき、片手でも容易に扱えるので、使い勝手がよいという優れた効果も有る。
【００２０】
さらに、本発明のロール紙ホルダは、前述したロール紙セットの実行空所と、空の芯管除去の実行空所とが、それぞれ前述したようにロール紙ホルダの前側だけに必要で、ロール紙ホルダの両脇または片脇には一切不要であるから、ロール紙ホルダの設置場所の選定に当たつては、壁面凹所内とか壁面同士の片隅にも設置でき、側壁などによる制約を全く受けないという優れた効果も有る。
【００２１】
上記のほかに、本発明によるロール紙ホルダにおける唯一の可動部分であるロール紙支軸は、本発明では必要最小限の短寸にできるから、テコの原理により無用な外力などの外乱に充分耐得るという優れた効果も有る。
【００２２】
本発明における請求項３と請求項４の発明のように、前記支軸筒部（または固定軸筒部）をその終縁段部まで固定軸筒部（または支軸筒部）内に回動可能に嵌入させれば、前記固定軸筒部に対する支軸筒部の嵌合寸法を上記終縁段部で自動的に規制できるので、均等良品を容易に多量提供できると共に、前記各筒部の嵌合外周面同士をほぼ面一となし得るから、より一層スマートでユニークな感じのロール紙ホルダを提供できるという効果を付加できた。
【００２３】
本発明における請求項５と請求項６の各発明のように、係止孔を有する支軸筒部（または固定軸筒部）を固定軸筒部（または支軸筒部）内に回動可能に嵌入し、前記係止孔内に固定軸（または支軸）の側面から係止部材を遊挿定位することで、この係止部材と係止孔との係合により前記嵌合枢支状態にある各筒部相互の抜け止めを一層強固に施せる共に、固定軸に対する支軸の回動に伴う前記係止孔の側縁と係止部材との当接で、支軸の回動角を制限できるので、前記捻じれ復元弾性体の過度な捻じれによる損傷や所謂弾性体のヘタリを防げるので、ロール紙支軸の対向誤差の発生を防げるという効果を付加できた。
【００２４】
本発明における請求項７から請求項１０までの各発明のように、支軸筒部（または固定軸筒部）の外周面を固定軸筒部（または支軸筒部）における円筒内周面の少なくとも三個所に内接する非円筒外周面としたり、支軸筒部（または固定軸筒部）の内周面を固定軸筒部（または支軸筒部）における非円筒外周面の少なくとも三個所に外接する円筒内周面とすれば、支軸筒部または固定軸筒部の外周面形状や内周面形状の選択自由度が向上し、より一層実施し易くなるという効果を付加できた。
【００２５】
本発明における請求項１１の発明のように、前記支軸の一端に弯曲延在部を形成し、その上部に筒部を形成した支軸を用いれば、支軸で支えたロール紙の脇には角部がない弯曲延在部が有るので、触れても手指に優しく、無造作に扱えるという効果を付加できた。
【００２６】
また、本発明における請求項１２と請求項１３の各発明における可撓復元性樹脂を柱状に成形した捻じれ復元弾性体と、伸縮性が小さいコイルばねによる捻じれ復元弾性体とは、それぞれ材質や太さ・長さの選定により、捻じれ復元弾性力を損なわずに伸縮性を実用上小さくできるから、その両端付近の各固定部をそれぞれ前記嵌合状態にある固定軸筒部と支軸筒部とに固定することで、支軸同士の対向状態を弾力的に維持できると共に、支軸同士の対向復帰作用を妨げずに、捻じれ復元弾性体自体で嵌合枢支状態にある上記筒部同士の抜け止めを施せるという効果を付加できた。
【発明を実施するための最良の形態】
【００２７】
次に、本発明を実施するための最良の大略形態例を説明すると、図１のような左右一対の棒材１をそれぞれ下向きほぼ９０°滑らかに曲げて左右の固定軸２を作り、これら各固定軸の下部に図２のように形成した円筒状の筒部３内と、対をなす短寸のロール紙支軸４の一端に同図２のように起立形成した円筒状の筒部５内とに図３（ａ）・（ｂ）のような円柱状の捻じれ復元弾性体６を渡しながら挿入後、上記支軸筒部５を固定軸筒部３内に図４のように上記弾性体６を内装したまま同軸的に上記筒部５の終縁段部５Ａまで深く嵌入することで、前記左右一対の固定軸２にそれぞれ支軸４を回動可能に嵌合枢支する。
【００２８】
次いで、前記左右一対の支軸同士を図４のように互いに対向させた状態で、図２・図４のように前記固定軸筒部３の横孔３Ａと支軸筒部５の横孔５Ｂから前記弾性体６の上下の各固定部６Ａに設けた横孔６Ｂに図５のように通した止めピンＰ（または通常イモビスと称する雄ねじ）の先端付近を同図のように上記各筒部３・５の反対側の横孔３Ａ・５Ｂにカシメ付けや、圧入（または螺着）することで、弾性体６の上下の各固定部６Ａをそれぞれ各筒部３・５内でこれら各筒部に固定でき、固定軸２に対してロール紙支軸４を回動可能に抜け止め枢支できる。
【００２９】
したがって、上記弾性体６の中央付近はフリーの状態を保ったとままとなり、図６のように固定した左右一対の棒材下部の各固定軸２に前記図５・図６のように嵌合枢支したロール紙支軸同士の前記対向状態は、弾性体６の捻じれ復元弾力により上記各図のように弾力的に維持できると共に、左右一対の対向支軸４間に後述する手段によりロール紙７の空心７Ａまたは芯管７Ｂを図７のように挿入することで、このロール紙７を同図のように各支軸４に回転可能に支持できる本発明によるロール紙ホルダを構成できた。
【００３０】
ただし、前記図１において、符号８を付した部材は、前辺刃先８Ａを有する周知の紙切り板であり、この紙切り板８を用いる場合には、紙切り板８の後側下面に突設した左右一対の突片８Ｂに設けた枢支孔８Ｃを図１のような左右一対の棒材１に通すことで、図７矢示のように上下斜め方向に回動可能に枢支して用いる。
【００３１】
また、図２・図８において、符号９を付した部材は、支軸４側における支軸筒部５の約２／３周長範囲部分に上辺を筒部軸線に対し直交させて形成した係止孔である。
【００３２】
次に、この発明によるロール紙ホルダをトイレ壁面などの被取付け面ａに取着する具体例を説明すると、図１のような横向き左右の棒材１に必要に応じて前記紙切り板８の枢支孔８Ｃを通した後、各棒材１の内端同士を対向接近させた状態で、この対向部分における棒材１の周面に形成した位置決め切欠部１Ａを押さえ付ける溝内突部１０Ａを有する図１のような前後二つ割りした前後の固定筒１０のうち、後側の固定筒１０を図６のように棒材１の上記対向接近部分に被せた後、棒材１を図９のように前側の固定筒１０と共に挟んだ状態で、後側の固定筒１０の横孔１０Ｂと棒材１の横孔１Ｂを図６のように通した止めねじＮを前側固定筒１０のねじ孔１０Ｃに螺着して左右の棒材１を固定筒１０に図７・図９のようにねじ止め固定する。
【００３３】
上記固定筒１０の後面突部１０Ｄには、図１のような筒状スペーサ１１の前辺凹部１１Ａを係入すると共に、このスペーサ１１と、その後方に配置した取付け座１２の各センター孔に図１のような長寸の止めねじＮを通して前記固定筒１０の後部ねじ孔１０Ｃに図９のようにねじ止め固定した後、上記取付け座１２を例えばトイレ壁面などの被取付け面ａに図９のようにコンクリねじなどの止めねじＮで定着した固定座１３に取着する。
【００３４】
すなわち、上記固定座１３の上部を図１・図９のように前向きに曲げて作った取着部１３Ａの後面を上記取付け座１２の上部内面凹部１２Ａの縁に同図９のように引っ掛けて係入した後、取付け座１２の下部の縦向きねじ孔１２Ｂに螺入した通常イモビスと称する止めねじＮで固定座１３の下部を前向きに曲げて作った取着部１３Ａの後面を同図９のように押さえ込むことで、左右一対の棒材１の下部における固定軸２にロール紙支軸４を枢支して備えた本発明によるロール紙ホルダを図９のように被取付け面ａに対して例えば５°程度の前方傾斜角度で取着できる。
【００３５】
ただし、前記後側の固定筒１０とスペーサ１１と取付け座１２とを一体形成し、その取付け座に相当する部分を被取付け面ａにコンクリねじなどで直接固定してもよく、その他適宜周知の棒材取り付け手段で上記本発明によるロール紙ホルダは、被取付け面ａや壁面凹所などに所定の取付け角度で取着できる。
【００３６】
次に、本発明に用いる固定軸２とロール紙支軸４との具体的な作り方および捻じれ復元弾性体６の具体例を詳細に説明すると、先ず前記左右一対の固定軸２は、例えば不銹鋼などの高級感に富む金属で美しく作った直径１０ｍｍ程度・長さ１５０〜２００ｍｍ程度の丸い直棒材１の一端から軸線方向に旋盤などで深さ約１５ｍｍ程度の丸穴を形成して図２のような円筒状の固定軸筒部３を形成した後、上記棒材１のほぼ中央部を強圧プレス機械などで上記各図のようにほぼ直角に滑らかに曲げて左右一対の固定軸２を作るのであるが、この場合には棒材１を上記各図のように曲げた後に固定軸筒部３を形成してもよい。
【００３７】
一方、前記左右一対のロール紙支軸４を作るには、前記固定軸２の素材と同様な素材で美しく作った直径１０ｍｍ程度、長さ５０〜７０ｍｍ程度の丸い直棒材１の一端から軸線方向に旋盤などで深さ約１５ｍｍ程度の丸穴を形成して図１のような円筒状の支軸筒部５を形成した後、各支軸４の外端付近に相当する部分を強圧プレス機械などで図１・図２のようにほぼ直角に起立させることで、一端に筒部５を起立形成した上記各図のような左右一対のロール紙支軸４を作るのであるが、この場合には各支軸４の一端付近を起立させた後に支軸筒部５を形成してもよい。
【００３８】
次に、本発明に用いる捻じれ復元弾性体６としては、ポリエステル・エラストマなどの捻じれ復元弾力を有する伸縮性の小さい軟質プラスチックで、例えば直径３〜５ｍｍ程度、長さ１２〜１７ｍｍ程度の円柱状に成形して作った捻じれ復元弾性体を用いるが、その成形に当たっては、図３（ａ）・（ｂ）のように、上下両端付近のブロック状固定部６Ａと横孔６Ｂおよび弾性体中央部の捻じれ時における図３（ａ）・（ｂ）のような絞り変形分を逃がすための縦長孔（または縦長溝）６Ｃと共に円柱状に成形する。
【００３９】
そして、上記弾性体６は、その両端の固定部６Ａを持った手指の力程度では、容易には伸縮できない程度の伸縮強度を有し、各固定部６Ａを手指の力で周方向に強くひねれば、図３（ｃ）・（ｄ）のように弾性体中央部の捻じれ時における絞り変形分を縦長孔（または縦長溝）６Ｃ内に逃がしつつ、周方向正逆にそれぞれ約９０°程度ずつ捻じれる程度の捻じり応力を有し、捻じった後に固定部６Ａから手指を離せば弾性体６は、かなり強い自己の捻じれ復元弾力で図３（ａ）・（ｂ）のような元の円柱状に復帰するように作る。
【００４０】
この発明の基本構成は以上のような構成であるが、より一層好ましい実施形態としては、前記固定軸筒部３の周面に図２・図４のように設けたねじ孔３Ｂから支軸筒部５に設けた前記係止孔９内に通常イモビスと称する雄ねじなどの係止部材ｎを図５・図８（ａ）のように遊挿し、この遊挿状態にある係止部材ｎをペイントロックなどの周知の定位手段で不動にロックする。
【００４１】
こうすれば、上記係止孔９の上辺９Ａを図５のように係止部材ｎの上部周面に当接させて前記嵌合状態にある各軸相互の抜け止めをダメ押し的に強化できると共に、支軸対向状態における図８（ａ）のような前後均等位置にある係止孔９の前後の各側縁９Ｂは、それぞれ支軸４の前後方向回動に伴い、前記係止部材ｎの方向に変位して図８（ｂ）・図８（ｃ）のように係止部材ｎの側面に当接して不動になるから、固定軸２に対する支軸４の回動角を正逆方向にそれぞれ例えば直角未満に制限できる。
【００４２】
したがって、この場合には、前記捻じれ復元弾性体６の周方向捻じれ角も上記各図のように直角未満に制限できるので、捻じれ復元弾性体６の過度な捻じれによる損傷や弾力低下（所謂弾性体のヘタリ）による支軸４の対向復帰位置の変動や対向誤差の発生を一層防げるようになる。
【００４３】
この発明によるロール紙ホルダの具体的な実施形態は以上のような構成であるが、これを使用するに当たり、先ず前記対向状態にある左右一対のロール紙支軸４にロール紙７を枢支セットするには、上記対向支軸４の前面にロール紙７の後部外周面を当てつつ、ロール紙７を図１０のようにそのまま奥に押し込むと、左右一対のロール紙支軸４は、それぞれ前記捻じれ復元弾性体６の捻じれ復元弾力に抗し同図のように斜め後向きに押されて筒部５を中心として同図１０のように斜め後向きに回動する。
【００４４】
上記対をなす支軸５の回動に伴い、弾性体６は図３（ａ）・（ｂ）で示す円柱初期状態から、周方向に約９０°捻じられて同図（ｃ）のように、その中央部が絞られて小鼓状輪郭に細くなりつつ、前記絞り変形分を縦長孔６Ｃ内に逃がしながら、図８（ｂ）のように絞り変形し、上記弾性体６は、捻じれ復元弾力を蓄えた状態になる。
【００４５】
その後における上記ロール紙７の押し込み作業の継続で、各支軸４の先端がロール紙空心７Ａまたは芯管７Ｂの側部に図１１・図１２のように対向すると、前記支軸４に加わっていたロール紙７の側部による外力が無くなるから、左右一対のロール紙支軸４は、それぞれ弾性体６に蓄えてある前記捻じれ復元弾力で筒部５を中心として内向きに回動し、ロール紙空心７Ａまたは芯管７Ｂ内で図７・図９・図１３のように対向復帰し、この対向状態を上記弾性体６の捻じれ復元弾力で維持できるので、左右一対の支軸４の上面にロール紙空心７Ａまたは芯管７Ｂの内面上部が図７・図９のように載った状態を確保でき、ロール紙７を左右の対向支軸４で上記各図のように回転可能に支持でき、ロール紙ホルダに対するロール紙７のセット作業を片手だけで実現できた。
【００４６】
その後ロール紙始端を手前に引けば、ロール紙７を左右の支軸４を中心として回転させながら所望長繰り出せるので、この繰り出したロール紙７を手指で千切って使用したり、前記紙切り板８を使用した場合には、図１４のようにロール紙７の前寄り外周面に当接させた紙切り板８の前辺刃先８Ａで上記繰り出したロール紙７をカットして使用できる。
【００４７】
紙を全部繰り出し終えて空になった芯管７Ｂを左右一対の支軸４から抜去するには、その後面に芯管７Ｂの後部内面を片手で当てつつ、芯管７Ｂをそのまま手前に引くと、左右一対のロール紙支軸４は、それぞれ芯管７Ｂの外側縁で前記捻じれ復元弾性体６の復元弾力に抗し、図１５のように筒部５を中心として斜め前向きに回動し、この回動力で弾性体６を図３（ｄ）・図８（ｃ）のように周方向に約９０°捻じって上記弾性体６は、捻じれ復元弾力を蓄えた状態になる。
【００４８】
上記対をなすロール紙支軸４から芯管７Ｂが脱出すると、前記支軸４に加わっていた芯管７Ｂによる外力が無くなるから、弾性体６の上記蓄え済の捻じれ復元弾力で左右一対のロール紙支軸４は、その筒部５を中心として芯管７Ｂの外で対向復帰するので、次のロール紙７のセット作業に対処でき、使い終わったロール紙７の芯管７Ｂの除去作業も前記ロール紙セット作業と同様に片手だけで実現できた。
【００４９】
以上のように、本発明によるロール紙ホルダに対するロール紙７のセット作業の実行空所と、使い終わったロール紙芯管７Ｂの除去作業の実行空所とは、それぞれロール紙ホルダの前側だけに必要で、ロール紙ホルダの両脇または片側には一切不要であるから、本発明によるロール紙ホルダの設置場所の選定に当たつては、壁面凹所内とか壁面同士の片隅にも設置でき、側壁などによる制約を全く受けない。
【００５０】
また、左右一対の支軸４に対する前述したようなロール紙７のセット作業または空の芯管７Ｂの抜去の作業は、それぞれロール紙７または芯管７Ｂを各支軸４に対して前記各図のように進退させるだけの操作で実行できる。
【実施例】
【００５１】
本発明によるロール紙ホルダは、前述したような水平設置で使用する代わりに、図１６のように被取付け面ａに対して垂直または斜めに設置しても使用できるし、対をなす固定軸２や支軸４は、棒材で作る代わりに金属をダイキャスト成形して作ったり、プラスチック成形素材を射出成形して作ってもよい。
【００５２】
また、支軸筒部５（または固定軸筒部３）をその終縁段部まで固定軸筒部（または支軸筒部）内に回動可能に嵌入して筒部同士を枢支すれば、前記固定軸筒部に対する支軸筒部の嵌入寸法を上記終縁段部で自動的に規制できると共に、各筒部の嵌合外周面同士をほぼ面一となし得る。
【００５３】
前記支軸４の一端に、この支軸よりも細い細筒部５Ｃを図１７のように起立形成し、この細筒部を図１７のように固定軸２の筒部３内に嵌入して各筒部同士を嵌合枢支してもよく、これとは逆に固定軸の一端に細筒部を形成し、この細筒部を支軸４の筒部５内に嵌入して各筒部同士を嵌合枢支してもよい。
【００５４】
さらに、支軸筒部５（または固定軸筒部３）の外周面を固定軸筒部３（または支軸筒部５）における円筒内周面の少なくとも三個所に内接する非円筒外周面としたり、支軸筒部５（または固定軸筒部３）の内周面を固定軸筒部３（または支軸筒部５）における非円筒外周面の少なくとも三個所に外接する円筒内周面とすれば、支軸筒部５または固定軸筒部３の外周面形状や内周面形状の選択自由度が向上する。
【００５５】
前記支軸４の一端に図１８のような弯曲延在部４Ａを形成し、その上部に筒部５を形成した支軸４を用いれば、支軸４で支えたロール紙７の脇には手指に優しい上記弯曲延在部４Ａが存在するため、触れても安全で無造作に扱えるようになる。
【００５６】
本発明に用いる捻じれ復元弾性体６の他の実施形態としては、ポリアセタール系合成樹脂（ＰＯＭ樹脂）などの捻じれ復元性を有するプラスチックで図１９（ａ）のように上下両端付近のブロック状固定部６Ａと横孔６Ｂと共にコイルばね状に一体成形した捻じれ復元弾性体６や、両端に不捻固定部を有する金属製のコイルばねも使用可能であるが、これら各コイルばねによる弾性体６は、その両端の固定部６Ａを持った手指の力程度では、容易には伸縮できない程度の伸縮強度を有し、各固定部６Ａを手指の力で周方向に強くひねれば、図１９（ｂ）・（ｃ）のように周方向正逆にそれぞれ約９０°程度ずつ捻じれるように作る。
【産業上の利用可能性】
【００５７】
本発明によるロール紙ホルダは、前述したようなトイレットペーパなどのロール紙以外に、スーパーマーケットなどにおけるラップフィルムや、ミシン目状切断線付きの長尺連設袋など、ロール紙に近似したロール巻きシート状物の吊り下げホルダとしても当然に利用できる。
【図面の簡単な説明】
【００５８】
【図１】本発明によるロール紙ホルダの分解斜視図
【図２】本発明要部を拡大した分解斜視図
【図３】本発明に用いる捻じれ復元弾性体の一例を示す説明図
【図４】本発明要部を拡大した縦断立面図
【図５】図４と状態を異にした縦断立面図
【図６】本発明の実施形態の一例を示す斜視図
【図７】本発明の使用形態の一例を示す斜視図
【図８】本発明要部をさらに拡大した横断平面図
【図９】本発明の使用形態の一例を示す縦断側面図
【図１０】本発明の使用形態の一例を示す平面図
【図１１】図１０と状態を異にした平面図
【図１２】図９と状態を異にした縦断側面図
【図１３】図１１と状態を異にした平面図
【図１４】本発明の使用形態の一例を示す側面図
【図１５】図１３と状態を異にした平面図
【図１６】本発明の他の使用形態の一例を示す側面図
【図１７】本発明要部の他の実施形態を示す縦断立面図
【図１８】本発明の他の実施形態を示す斜視図
【図１９】本発明に用いる捻じれ復元弾性体の他の例を示す説明図
【図２０】従来のロール紙ホルダの使用例を示す斜視図
【符号の説明】
【００５９】
１……棒材                  ７……ロール紙
１Ａ…切欠部                ７Ａ…空心
１Ｂ…横孔                  ７Ｂ…芯管
２……固定軸                ８……紙切り板
３……固定軸筒部            ８Ａ…前辺刃先
３Ａ…横孔                  ９……係止孔
３Ｂ…ねじ孔                ９Ａ…係止孔上辺
４……ロール紙支軸          ９Ｂ…係止孔側縁
４Ａ…弯曲延在部            １０…固定筒
５……支軸筒部              １１…筒状スペーサ
５Ａ…終縁段部              １２…取付け座
５Ｂ…横孔                  １３…固定座
５Ｃ…細筒部                  Ｎ…止めねじ
６……捻じれ復元弾性体        ｎ…係止部材
６Ａ…固定部                  Ｐ…止めピン
６Ｂ…横孔                    ａ…被取付け面
６Ｃ…縦長孔（縦長溝）
【図１】
2010099168.tif 000003
【図２】
2010099168.tif 000004
【図３】
2010099168.tif 000005
【図４】
2010099168.tif 000006
【図５】
2010099168.tif 000007
【図６】
2010099168.tif 000008
【図７】
2010099168.tif 000009
【図８】
2010099168.tif 000010
【図９】
2010099168.tif 000011
【図１０】
2010099168.tif 000012
【図１１】
2010099168.tif 000013
【図１２】
2010099168.tif 000014
【図１３】
2010099168.tif 000015
【図１４】
2010099168.tif 000016
【図１５】
2010099168.tif 000017
【図１６】
2010099168.tif 000018
【図１７】
2010099168.tif 000019
【図１８】
2010099168.tif 000020
【図１９】
2010099168.tif 000021
【図２０】
2010099168.tif 000022